(57)【要約】【課題】反射板の取り付け作業において、バンパー意匠面が傷つくことを防止すると共に、取り付け作業の作業性および作業効率を向上させるバンパーを提供する。【解決手段】バンパー１は、平板部２１ａの一端から外方へ突出する突出部２１ｂおよび平板部２１ａの他端側裏面に設けられたボス部２１ｃを有するベース２１とベース２１に接合されるアウタレンズ２２とからなる反射板２と、挿入孔３２と当接部３４ａとを有する収容部３１を備えるバンパー本体３とからなり、反射板２が収容部３１にバンパー本体３の意匠面側から収容され、突出部２１ｂが挿入孔３２に挿入されるとともにボス部２１ｃが当接部３４ａにバンパー本体３の裏側からねじ止めされるバンパーであって、バンパー本体３は、当接部３４ａ近傍のうち少なくとも挿入孔３２から遠ざかる側から突出し、反射板２のボス部２１ｃとの当接により、少なくとも収容部３１内における反射板２の突出部２１ｂが挿入孔３２から抜け出る方向への移動を規制する規制部３５を備えることを特徴とする。【選択図】図２
2008296781.tif 000002
【特許請求の範囲】
【請求項１】
平板部、前記平板部の一端から外方へ突出する突出部および前記平板部の他端側において前記平板部の裏側に突出するボス部を有するベースと、前記ベースに接合されるアウタレンズと、からなる反射板と、
前記突出部が挿入される挿入孔と前記ボス部が当接する当接部とを有し、前記反射板を収容可能な収容部を備えるバンパー本体とからなり、
前記反射板が前記収容部に前記バンパー本体の意匠面側から収容され、前記突出部が前記挿入孔に挿入されるとともに前記ボス部が前記当接部に前記バンパー本体の裏側からねじ止めされて前記反射板が前記バンパー本体に取り付けられるバンパーであって、
前記バンパー本体は、前記当接部近傍のうち少なくとも前記挿入孔から遠ざかる側から突出し、前記反射板の前記ボス部との当接により、少なくとも前記収容部内における前記反射板の前記突出部が前記挿入孔から抜け出る方向への移動を規制する規制部を備えることを特徴とするバンパー。
【発明の詳細な説明】
【技術分野】
【０００１】
本発明は、反射板を備えるバンパーに関するものである。
【背景技術】
【０００２】
バンパー本体に取り付けられる反射板には、レンズの割れ防止のため、バンパー表面より車両内側に配置され、少なくとも１点でバンパー本体とねじ止め等により締結されるものがある。例えば、特開平８−７４８１９号公報（特許文献１）には、反射板（リフレクタ）に突設した突片がバンパーに設けた孔に差し込まれ、他端側がねじ止めされるバンパーが記載されている。
【０００３】
一般に、上記のようなバンパーには、バンパー本体に反射板を収容する収容部が形成されている。そして、反射板の一端には突出部が設けられ、収容部には、その突出部が挿入される挿入孔が設けられている。突出部は、バンパー本体の意匠面側から挿入孔に挿入される。
【０００４】
また、衝突時における反射板の脱落防止の観点から、反射板の他端側には、裏側（車両内側）に突出したボス部が形成されており、ボス部は、突出部が挿入孔に挿入され反射板全体が収容部内に収容された後、収容部とのねじ止め位置である当接部に当接した状態で、バンパー本体の裏側から当接部にねじ止めされる。
【特許文献１】特開平８−７４８１９号公報
【発明の開示】
【発明が解決しようとする課題】
【０００５】
上記構成のバンパーにおいて、反射板はバンパー本体の意匠面側から取り付けられる。従って、反射板の取り付けを行う作業者は、取り付け作業時、反射板がバンパー意匠面に当接してバンパー意匠面を傷つけないよう十分な注意を払う必要がある。しかし、作業者が十分な注意を払っていても、反射板がバンパー意匠面に当接し、バンパー意匠面を傷つけてしまう虞もあった。
【０００６】
特に、反射板全体が収容部内に収容されると、反射板がバンパー表面より車両内側に位置するため、反射板を十分に把持することができなくなる。このため、作業者は、ボス部が当接部に当接するまで、反射板の位置をコントロールするのが困難となる。つまり、このとき、反射板によってバンパー意匠面を傷つけやすく、作業者には、相当の注意力または高度な作業技術等が要求された。
【０００７】
このように、従来のバンパーでは、反射板の取り付け作業を慎重に行う必要がある上、さらに慎重であってもバンパー意匠面を傷つけてしまう可能性が大きいため、取り付けの作業性および作業効率において問題があった。
【０００８】
本発明は、このような事情に鑑みてなされたものであり、反射板の取り付け作業において、バンパー意匠面が傷つくことを防止すると共に、取り付け作業の作業性および作業効率を向上させるバンパーを提供することを目的とする。
【課題を解決するための手段】
【０００９】
本発明のバンパーは、平板部、平板部の一端から外方へ突出する突出部および平板部の他端側において平板部の裏側に突出するボス部を有するベースと、ベースに接合されるアウタレンズと、からなる反射板と、突出部が挿入される挿入孔とボス部が当接する当接部とを有し、反射板を収容可能な収容部を備えるバンパー本体とからなり、反射板が収容部にバンパー本体の意匠面側から収容され、突出部が挿入孔に挿入されるとともにボス部が当接部にバンパー本体の裏側からねじ止めされて反射板がバンパー本体に取り付けられるバンパーであって、バンパー本体は、当接部近傍のうち少なくとも挿入孔から遠ざかる側から突出し、反射板のボス部との当接により、少なくとも収容部内における反射板の突出部が挿入孔から抜け出る方向への移動を規制する規制部を備えることを特徴とする。
【００１０】
本発明のバンパーにおいて、少なくとも収容部内においては、規制部が反射板の突出部が挿入孔から抜け出る方向への移動を規制する。従って、反射板の取り付け作業において、少なくとも収容部内においては、突出部が挿入孔から抜け出る方向への反射板の位置ずれが防止される。つまり、反射板が位置ずれにより、バンパー本体の意匠面（以下、「バンパー意匠面」と称する）に当接することが防止される。このため、反射板によるバンパー意匠面の傷つきを防止することができる。
【００１１】
また、規制部は、反射板のずれを規制すると共に、取り付け作業において、ボス部が当接部と当接するようにボス部をガイドするガイド機能を付加する。つまり、作業者が反射板を収容部内に押し入れる際、反射板が多少ずれていたとしても、ボス部が規制部にガイドされながら当接部に向かって押し込まれる。これにより、作業者は、相当の注意力および高度な作業技術を要求されることなく、容易且つスムーズに反射板を取り付けることができる。
【００１２】
本発明のバンパーによれば、規制部が少なくとも収容部内における反射板の突出部が挿入孔から抜け出る方向への移動を規制するため、特に反射板が作業者のコントロールができない位置（把持できない位置）に位置したときに、バンパー意匠面の傷つきを防止し且つ反射板のスムーズな取り付けを可能とする。
【００１３】
さらに、本発明のバンパーでは、反射板が標準化された標準品であっても、規制部とボス部とが当接することにより、反射板を規制およびガイドする。つまり、反射板がもともと有するボス部を利用するため、反射板に何ら加工を施す必要がなく、コストの削減が可能となる。また、反射板取り付け後のバンパーの外観に何ら影響を与えない。
【００１４】
なお、規制部は、当接部近傍のうち少なくとも挿入孔から遠ざかる側から突出しており、例えば、板状の突起部材（リブ等）を当接部近傍のうちの挿入孔から遠ざかる側に設けることが好ましい。ここで、リブ等は、樹脂成形しやすく、形状の調整も容易である。従って、規制部としてリブを用いることにより、容易に生産できる上、上記効果を得ることができる。
【００１５】
また、規制部は、少なくとも収容部内における反射板の突出部が挿入孔から抜け出る方向への移動を規制すればよく、収容部内に加えて、収容部外における反射板の突出部が挿入孔から抜け出る方向への移動を規制してもよい。例えば、規制部は、反射板全体が収容部内に収まる直前から、反射板の突出部が挿入孔から抜け出る方向へのずれに対してボス部と規制部が当接するように形成されてもよい。
【００１６】
また、ベースおよびアウタレンズが射出成形により形成される場合、通常、それらの外周縁にはパーティングライン（ＰＬ）が形成される。パーティングラインは、成形品の表面に表われる成形金型の分割線であり、先端が尖っていることが多い。従って、反射板にパーティングラインが形成された分、バンパー意匠面が傷つく可能性が高くなる。本発明のバンパーによれば、このような場合であっても、規制部によって反射板の突出部が挿入孔から抜け出る方向への移動が規制され、上記効果を得ることができる。
【発明の効果】
【００１７】
本発明のバンパーによれば、反射板の取り付け作業において、バンパー意匠面の傷つきを防止すると共に、取り付け作業の作業性および作業効率を向上させることができる。
【発明を実施するための最良の形態】
【００１８】
次に、実施形態を挙げ、本発明をより詳しく説明する。本実施形態は、本発明を車両のリヤバンパーに適用したものである。なお、本実施形態では、リヤバンパーの車両右側の部位を例に挙げて説明する。
【００１９】
本実施形態のバンパー１の構造について図１および図２を参照して説明する。図１は、車両後方から見たバンパー１の一部を示す図である。図２は、図１のＡ−Ａ線における要部断面図である。図１に示すように、バンパー１は、リフレクタ２（本発明における「反射板」に相当する）と、バンパー本体３とを備えている。
【００２０】
まず、リフレクタ２について説明する。図１および図２に示すように、リフレクタ２は、樹脂製であり、ベース２１と、アウタレンズ２２とを備えている。ベース２１は、平板部２１ａと、突出部２１ｂと、ボス部２１ｃと、補強部２１ｄと、凸部２１ｅとを有している。平板部２１ａは、略長方形の平板状となっている。突出部２１ｂは、略四角形であり、平板部２１ａの車両左側の端部に一体的に設けられている。また、突出部２１ｂは、平板部２１ａの一端から外方（側方）へ突出している。
【００２１】
ボス部２１ｃは、略円筒状であり、平板部２１ａの車両右側に一体的に設けられ、車両前方（平板部２１ａの裏側）に突出している。つまり、ベース２１は、平板部２１ａの一端に突出部２１ｂ、他端側にボス部２１ｃを有している。
【００２２】
補強部２１ｄは、略三角形の板状リブであり、平板部２１ａおよびボス部２１ｃに一体的に設けられている。補強部２１ｄは、ボス部２１ｃの根元に複数配置されている。凸部２１ｅは、平板部２１ａの一端側裏面に一体的に設けられ、車両前方に突出している。
【００２３】
アウタレンズ２２は、レンズ部２２ａと、溶着部２２ｂとを有している。レンズ部２２ａは、ベース２１の平板部２１ａとほぼ同形状となっている。溶着部２２ｂは、レンズ部２２ａの外周にレンズ部２２ａと一体的に設けられ、レンズ部２２ａから車両前方に突出している。溶着部２２ｂの先端は、平板部２１ａに当接し、溶着されている。つまり、アウタレンズ２２は、ベース２１の車両後方側（表側）に取り付けられている。
【００２４】
次に、バンパー本体３は、樹脂製であり、収容部３１を備えている。収容部３１は、車両前方に凹んだ凹状であり、車両の外側に開口している。収容部３１は、内部にリフレクタ２全体を収容可能となっている。つまり、収容部３１は、リフレクタ２を収容するのに十分な深さが設定されている。
【００２５】
詳細には、収容部３１は、挿入孔３２と、凸部３３と、凹部３４と、規制部３５とを有している。挿入孔３２は、収容部３１の車両左側に設けられ、リフレクタ２の突出部２１ｂが挿入されている。凸部３３は、収容部３１の車両左側の底面から車両後方に突出し、リフレクタ２の凸部２１ｅに当接している。
【００２６】
凹部３４は、収容部３１の車両右側の底面に設けられ、車両前方に凹んだ凹状となっている。凹部３４には、リフレクタ２のボス部２１ｃが挿入されており、底面にはボス部２１ｃが当接する当接部３４ａを有している。
【００２７】
そして、当接部３４ａの中央には、ボス部２１ｃの内径より僅かに大きい孔３４ｂが設けられている。孔３４ｂの中心は、ボス部２１ｃの内径軸に対応している。当接部３４ａとボス部２１ｃとは、バンパー本体３の裏側から孔３４ｂを介して、ねじ４によりねじ止めされている。
【００２８】
規制部３５は、板状の突起部材（リブ）であり、凹部３４の車両右側の内周面に設けられている。詳細には、規制部３５は、当接部３４ａ近傍のうち車両右側から車両後方に突出している。規制部３５の突出する長さは、ボス部２１ｃの軸長よりも僅かに小さくなっている。また、規制部３５の車両左側の部位は、車両前方に向かうにつれてボス部２１ｃに近づくように傾斜している。そして、この規制部３５の車両左側の部位は、その車両後方の端部が緩やかに湾曲した形状となっている。規制部３５の上記傾斜については、さらに後述する。
【００２９】
規制部３５が設けられることにより、リフレクタ２が収容部３１内に位置する状態で、リフレクタ２が車両右側（突出部２１ｂが挿入孔３２から抜け出る方向）にずれようとしたとき、ボス部２１ｃが規制部３５に当接し、リフレクタ２の車両右側への移動が規制される。
【００３０】
ここで、リフレクタ２のバンパー本体３への取り付け作業について図３を参照して説明する。図３は、図２に相当し、取り付け時におけるリフレクタ２の動きを示す図である。なお、図３において、Ｘ〜Ｚは、取り付けまでのリフレクタ２の動きを表し、取り付けはＸからＺに向かって移動させることで行われる。また、リフレクタ２の車両右側の端部を端部２０とする。
【００３１】
まず、作業者は、リフレクタ２の側面等を把持し（例えば、車両上下方向からの把持）、リフレクタ２の突出部２１ｂを、バンパー本体３の車両外側から収容部３１の挿入孔３２に挿入する（挿入作業）。そして、図３に示すＸからＹに向け、リフレクタ２を把持した状態で、端部２０を収容部３１側へ回動させる（回動作業）。ここで、図３のＹのように、リフレクタ２が収容部３１内に収容されると、作業者はリフレクタ２を把持できなくなる。従って、作業者は、端部２０が収容部３１内に収容される直前あたりから、ボス部２１ｃが収容部３１の底面に当接する（図３のＺ）までリフレクタ２を押し入れる（押入作業）。そして、リフレクタ２を押さえつつ、バンパー本体３の裏側から、ボス部２１ｃを当接部３４ｂにねじ止めする（ねじ止め作業）。
【００３２】
このように、リフレクタ２は、バンパー本体３の車両外側（すなわち、意匠面側）から収容部３１に収容される。そして、ボス部２１ｃを当接部３４ｂに当接させ、ボス部２１ｃと当接部３４ｂとをバンパー本体３の裏側からねじ止めし、取り付け作業は終了する。
【００３３】
作業時におけるバンパー意匠面の傷つきの多くは、リフレクタ２の車両右側へのずれによる端部２０とバンパー意匠面との当接が原因で生じる。また、端部２０には外周面に射出成形によるパーティングラインが存在する。例えば、図３に示すように、パーティングライン（ＰＬ）は、外方に突起しており、先端が尖っていることが多いため、その分バンパー意匠面を傷つけやすくなる。特に、アウタレンズ２２のパーティングラインは、アウタレンズ２２がバンパー本体３より硬い樹脂からなることから、バンパー意匠面を傷つけやすい。
【００３４】
回動作業において、作業者は、リフレクタ２を把持しているため、リフレクタ２をバンパー意匠面に当接しないようコントロールすることは困難ではない。一方、押入作業においては、作業者がリフレクタ２をコントロールし難く、バンパー意匠面（特に、収容部３１の車両右側側面）を傷つける可能性が高い。
【００３５】
本実施形態のバンパー１では、規制部３５により、押入作業におけるリフレクタ２の車両右側への移動が規制されている。つまり、作業者がリフレクタ２をコントロールし難いとき（図３のＹ−Ｚ間）に、リフレクタ２は、車両右側（突出部２１ｂの挿入方向と反対方向）へ移動し得ない。これにより、押入作業時に、端部２０が収容部３１の車両右側の側面に向けてずれることはなく、端部２０がバンパー意匠面に当接することは防止され、バンパー意匠面の傷つきは防止される。
【００３６】
押入作業時および回動作業から押入作業に切り替わるときに、リフレクタ２が車両右側にずれたとしても、リフレクタ２は、ボス部２１ｃが規制部３５に当接しながら当接部３４ｂに向かって押し込まれる。つまり、図３に示すように、リフレクタ２は、本来の収容軌道から外れることがない。このように規制部３５がリフレクタ２をガイドするため、作業者は、取り付け作業に対し、高い注意力および高度な作業技術を要求されず、単に押し込むだけでよくなる。すなわち、取り付け作業の作業性および作業効率は向上する。
【００３７】
すなわち、本実施形態のバンパー１によれば、リフレクタ２の取り付け作業において、バンパー意匠面が傷つくことを防止すると共に、取り付け作業の作業性および作業効率を向上させることができる。
【００３８】
ここで、図２および図３に示すように、規制部３５の車両左側の部位の傾斜は、押入作業時におけるボス部２１ｃの軌道に沿うように形成されている。従って、規制部３５によるリフレクタ２のガイド機能は向上し、作業性もより向上している。
【００３９】
また、規制部３５の車両左側の部位は、その車両後方の端部が緩やかに湾曲した形状となっている。このため、回動作業から押入作業に切り替わるときにリフレクタ２が車両右側にずれていた場合、ボス部２１ｃが規制部３５の上記湾曲部分に当接し、リフレクタ２は車両左側へよりスムーズにガイドされる。
【図面の簡単な説明】
【００４０】
【図１】車両後方から見たバンパー１（リヤバンパー）の一部を示す図である。
【図２】図１のＡ−Ａ線における要部断面図である。
【図３】図２に相当し、取り付け時におけるリフレクタ２の動きを示す図である。
【符号の説明】
【００４１】
１：バンパー、２：リフレクタ、
２１：ベース、２１ａ：平板部、２１ｂ：突出部、２１ｃ：ボス部、
２２：アウタレンズ、
３：バンパー本体、３１：収容部、３２：挿入孔、３４：凹部、３４ａ：当接部、
３５：規制部
【図１】
2008296781.tif 000003
【図２】
2008296781.tif 000004
【図３】
2008296781.tif 000005